(57)【要約】【課題】組み立てを容易にし、かつ、部品点数を削減できる中留および時計を提供すること。【解決手段】第１プッシュボタンは、ロックピンと係合する第１ボタン係合部を備え、第２プッシュボタンは、ロックピンと係合する第２ボタン係合部を備える。第１および第２プッシュボタンが第１バネによる付勢方向に移動することで、第１および第２ボタン係合部は、第２方向において互いに近づく方向に移動する。第１および第２ボタン係合部の第２方向において互いに対向する対向面は、第２方向と直交する平面である。【選択図】図８
2019000239.tif 000002
【特許請求の範囲】
【請求項１】
第１バンドおよび第２バンドを連結する中留であって、
外板、および、前記第１バンドに連結され且つロックピンが設けられた中板を備える中折れ部材と、
前記外板に連結された中留枠と、
前記第２バンドに連結され、前記中留枠に対して、第１方向に沿ってスライド可能に設けられたスライド板と、
前記中留枠に取り付けられ、表面側から見て前記第１方向と直交する第２方向に沿って設けられた第１プッシュボタンおよび第２プッシュボタンと、
前記第１および第２プッシュボタンを、前記第２方向において互いに遠ざかる方向に付勢する第１バネと、
前記スライド板と係合して、前記スライド板がスライドすることを規制し、前記第１および第２プッシュボタンが前記第１バネによる付勢方向とは反対方向に移動した場合、前記スライド板との係合が解除される第１係合部材および第２係合部材と、
前記第１および第２プッシュボタン、前記第１バネ、前記第１および第２係合部材を保持し、かつ、前記ロックピンが挿通する挿通孔を備えるプッシュボタン保持部材と、を備え、
前記第１プッシュボタンは、前記挿通孔に挿通された前記ロックピンと係合する第１ボタン係合部を備え、
前記第２プッシュボタンは、前記挿通孔に挿通された前記ロックピンと係合する第２ボタン係合部を備え、
前記第１および第２プッシュボタンが前記第１バネによる付勢方向に移動することで、前記第１および第２ボタン係合部は、前記第２方向において互いに近づく方向に移動し、
前記第１および第２ボタン係合部の前記第２方向において互いに対向する対向面は、前記第２方向と直交する平面である
ことを特徴とする中留。
【請求項２】
請求項１に記載の中留において、
前記第１プッシュボタンは、一部が前記中留枠から前記第２方向に突出した第１ボタン本体部と、前記第１ボタン本体部から前記第２方向とは反対方向に突出した第１ボタン突出部と、前記第１ボタン突出部から前記第１方向に突出した前記第１ボタン係合部とを備え、
前記第２プッシュボタンは、一部が前記中留枠から前記第２方向とは反対方向に突出した第２ボタン本体部と、前記第２ボタン本体部から前記第２方向に突出した第２ボタン突出部と、前記第２ボタン突出部から前記第１方向とは反対方向に突出し、前記第２方向において前記第１ボタン係合部と対向する前記第２ボタン係合部とを備え、
前記第１ボタン係合部は、前記第２方向において前記第２ボタン本体部と前記第２ボタン係合部との間に位置し、前記第１ボタン係合部の先端部は、前記第２ボタン突出部に接触し、
前記第２ボタン係合部は、前記第２方向において前記第１ボタン本体部と前記第１ボタン係合部との間に位置し、前記第２ボタン係合部の先端部は、前記第１ボタン突出部に接触している
ことを特徴とする中留。
【請求項３】
請求項２に記載の中留において、
前記第１および第２ボタン係合部は、前記第１および第２ボタン本体部よりも、裏面から表面に向かう厚み方向の寸法が短い
ことを特徴とする中留。
【請求項４】
請求項１から請求項３のいずれか１項に記載の中留において、
前記挿通孔に挿通された前記ロックピンは、前記第１および第２ボタン係合部の前記対向面の間を挿通し、前記第１および第２ボタン係合部の表面と係合し、
前記第１および第２ボタン係合部は、前記対向面における裏面側の外縁から連続し、かつ、前記ロックピンから遠ざかる方向に伸びる傾斜面または湾曲面を備えている
ことを特徴とする中留。
【請求項５】
請求項１から請求項４のいずれか１項に記載の中留において、
前記第１および第２係合部材を、前記第２方向において互いに遠ざかる方向に付勢する第２バネを備え、
前記スライド板は、前記第１および第２プッシュボタンの表側に設けられ、
前記第１および第２係合部材は、前記第１および第２プッシュボタンよりも表面側に突出し、
前記第２バネは、前記第１バネに対して表面側に位置している
ことを特徴とする中留。
【請求項６】
請求項１から請求項５のいずれか１項に記載の中留を備えることを特徴とする時計。
【発明の詳細な説明】
【技術分野】
【０００１】
本発明は、時計バンドや装身具用バンドなどのバンドに用いられる中留および当該中留を備える時計に関する。
【背景技術】
【０００２】
従来、時計バンドや装身具用バンドに用いられる中留において、バンド長さの調整機構を備えたものがある（例えば、特許文献１参照）。
特許文献１の中留は、外板、および、一方のバンドに連結され且つロックピン（係合爪）が設けられた中板を備える中折れ部材と、外板に連結された中留枠と、他方のバンドに連結され、中留枠に対して、バンド長手方向にスライド可能に設けられたスライド板と、中留枠に取り付けられたプッシュボタンユニットと、プッシュボタンユニットを保持するプッシュボタン保持部材とを備えている。プッシュボタンユニットは、一対のプッシュボタン、付勢部材、一対の係合突出部、抜け止め板とを備えている。
付勢部材は、バンド短手方向に沿って設けられた一対のプッシュボタンを、互いに遠ざかる方向に付勢する。
一対のプッシュボタンは、プッシュボタン保持部材が備える挿通孔に挿通される上記ロックピンと係合する一対のボタン係合部を備えている。一対のプッシュボタンが付勢部材による付勢方向に移動することで、一対のボタン係合部は、バンド短手方向において互いに近づく方向に移動する。
一対の係合突出部は、スライド板と係合して、スライド板がスライドすることを規制し、一対のプッシュボタンが付勢部材による付勢方向とは反対方向に移動した場合、スライド板との係合が解除可能に構成されている。この構成によれば、一対のプッシュボタンが押されることで、一対の係合突出部とスライド板との係合が解除されるため、この状態でスライド板を中留枠に対してスライドさせることで、バンド長さを調整できる。
このようなプッシュボタンユニットを保持部材に保持させる工程では、一対のプッシュボタン、付勢部材、一対の係合突出部を、抜け止め板で支持した状態で、プッシュボタン保持部材に保持させる。
【先行技術文献】
【特許文献】
【０００３】
【特許文献１】特許第３６０４６４６号公報
【発明の概要】
【発明が解決しようとする課題】
【０００４】
ところで、時計用部品などでは、コストを低減するため部品点数を削減することが望まれている。このため、上記抜け止め板を用いずに、プッシュボタンユニットをプッシュボタン保持部材に保持させることで、当該抜け止め板をプッシュボタンユニットの構成部品から削除する要望がある。
しかしながら、特許文献１の中留において、抜け止め板を用いずに、一対のプッシュボタン、付勢部材、一対の係合突出部を、プッシュボタン保持部材に直接保持させる場合は、途中で各部材がばらける可能性があり、中留を容易に組み立てることができない。
すなわち、当該抜け止め板は、一対のプッシュボタンが付勢部材による付勢方向に移動することを規制している。このため、当該抜け止め板がない場合は、一対のプッシュボタンが前記付勢方向に移動し、一対のボタン係合部同士がバンド短手方向において互いに近づく方向に移動して当接する。
ここで、特許文献１の中留において、一対のボタン係合部のバンド短手方向において互いに対向する端部は、表面側から見て円弧状に窪んでいる。このため、一対のボタン係合部同士がバンド短手方向において互いに近づく方向に移動して当接すると、一方のボタン係合部の前記端部が、他方のボタン係合部の前記端部の円弧に沿って移動し、プッシュボタン同士がバンド長手方向にずれ、これにより、各部材がばらける可能性がある。
【０００５】
本発明の目的は、組み立てを容易にし、かつ、部品点数を削減できる中留および時計を提供することにある。
【課題を解決するための手段】
【０００６】
本発明は、第１バンドおよび第２バンドを連結する中留であって、外板、および、前記第１バンドに連結され且つロックピンが設けられた中板を備える中折れ部材と、前記外板に連結された中留枠と、前記第２バンドに連結され、前記中留枠に対して、第１方向に沿ってスライド可能に設けられたスライド板と、前記中留枠に取り付けられ、表面側から見て前記第１方向と直交する第２方向に沿って設けられた第１プッシュボタンおよび第２プッシュボタンと、前記第１および第２プッシュボタンを、前記第２方向において互いに遠ざかる方向に付勢する第１バネと、前記スライド板と係合して、前記スライド板がスライドすることを規制し、前記第１および第２プッシュボタンが前記第１バネによる付勢方向とは反対方向に移動した場合、前記スライド板との係合が解除される第１係合部材および第２係合部材と、前記第１および第２プッシュボタン、前記第１バネ、前記第１および第２係合部材を保持し、かつ、前記ロックピンが挿通する挿通孔を備えるプッシュボタン保持部材と、を備え、前記第１プッシュボタンは、前記挿通孔に挿通された前記ロックピンと係合する第１ボタン係合部を備え、前記第２プッシュボタンは、前記挿通孔に挿通された前記ロックピンと係合する第２ボタン係合部を備え、前記第１および第２プッシュボタンが前記第１バネによる付勢方向に移動することで、前記第１および第２ボタン係合部は、前記第２方向において互いに近づく方向に移動し、前記第１および第２ボタン係合部の前記第２方向において互いに対向する対向面は、前記第２方向と直交する平面であることを特徴とする。
【０００７】
本発明では、第１および第２ボタン係合部の第２方向において互いに対向する対向面は、第２方向と直交する平面である。
この構成によれば、中留の組み立て工程において、第１および第２プッシュボタン、第１バネ、第１および第２係合部材を互いに組み合わせた状態でプッシュボタン保持部材に保持させる際、第１および第２プッシュボタンが第１バネによる付勢方向に移動しても、各部材がばらけることを抑制できる。
すなわち、例えば、第１および第２ボタン係合部の対向面が表面側から見て円弧状に湾曲している場合は、第１および第２プッシュボタンが前記付勢方向に移動し、第１および第２ボタン係合部の対向面同士が第２方向において互いに近づく方向に移動して当接したとき、一方のボタン係合部が、他方のボタン係合部の湾曲した対向面に沿って移動し、第１および第２プッシュボタン同士が、第１方向に沿ってずれる可能性がある。
これに対して、本発明では、第１および第２ボタン係合部の対向面が第２方向と直交する平面であるため、第１および第２ボタン係合部の対向面同士が第２方向において互いに近づく方向に移動して当接したとき、第１および第２プッシュボタンに対して第２方向と交差する方向に力が加わることを抑制できる。これにより、第１および第２プッシュボタン同士が第２方向と交差する方向にずれることを抑制でき、各部材がばらけることを抑制できる。このため、例えば第１および第２プッシュボタンが前記付勢方向に移動することを規制するような抜け止め板を用いることなく、各部材を容易にプッシュボタン保持部材に保持させることができる。
【０００８】
本発明の中留において、前記第１プッシュボタンは、一部が前記中留枠から前記第２方向に突出した第１ボタン本体部と、前記第１ボタン本体部から前記第２方向とは反対方向に突出した第１ボタン突出部と、前記第１ボタン突出部から前記第１方向に突出した前記第１ボタン係合部とを備え、前記第２プッシュボタンは、一部が前記中留枠から前記第２方向とは反対方向に突出した第２ボタン本体部と、前記第２ボタン本体部から前記第２方向に突出した第２ボタン突出部と、前記第２ボタン突出部から前記第１方向とは反対方向に突出し、前記第２方向において前記第１ボタン係合部と対向する前記第２ボタン係合部とを備え、前記第１ボタン係合部は、前記第２方向において前記第２ボタン本体部と前記第２ボタン係合部との間に位置し、前記第１ボタン係合部の先端部は、前記第２ボタン突出部に接触し、前記第２ボタン係合部は、前記第２方向において前記第１ボタン本体部と前記第１ボタン係合部との間に位置し、前記第２ボタン係合部の先端部は、前記第１ボタン突出部に接触していることが好ましい。
【０００９】
本発明によれば、第１および第２プッシュボタンが第１バネによる付勢方向に移動した際、第１ボタン係合部は、先端部が第２ボタン突出部に接触した状態で第２ボタン係合部に近づく方向に移動し、第２ボタン係合部は、先端部が第１ボタン突出部に接触した状態で第１ボタン係合部に近づく方向に移動する。これにより、第１および第２プッシュボタン等を互いに組み合わせた状態でプッシュボタン保持部材に保持させる際、第１および第２プッシュボタンを、第２方向に沿って移動させやすくでき、第１および第２プッシュボタン同士が、第２方向と交差する方向にずれることをさらに抑制できる。
【００１０】
本発明の中留において、前記第１および第２ボタン係合部は、前記第１および第２ボタン本体部よりも、裏面から表面に向かう厚み方向の寸法が短いことが好ましい。
【００１１】
本発明によれば、第１および第２ボタン係合部が、第１および第２ボタン本体部と厚み方向の寸法が同じ場合と比べて、第１および第２ボタン係合部にロックピンが係合した際の、第１および第２ボタン係合部とロックピンとを合わせた厚み方向の寸法を短くできる。これにより、中留を薄く形成できる。
なお、本発明によれば、第１および第２ボタン係合部が、第１および第２ボタン本体部と厚み方向の寸法が同じ場合と比べて、第１および第２ボタン係合部の対向面の面積が小さくなる。このため、対向面同士が接触した際、第１および第２プッシュボタンに対して第２方向と交差する方向に力が加わった場合、第１および第２プッシュボタン同士が第２方向と交差する方向にずれやすくなる。しかしながら、本発明では上記の通り対向面が第２方向と直交する平面であるため、対向面同士が接触した際、第１および第２プッシュボタンに対して第２方向と交差する方向に力が加わることを抑制できる。このため、第１および第２プッシュボタン同士が第２方向と交差する方向にずれることを抑制できる。
【００１２】
本発明の中留において、前記挿通孔に挿通された前記ロックピンは、前記第１および第２ボタン係合部の前記対向面の間を挿通し、前記第１および第２ボタン係合部の表面と係合し、前記第１および第２ボタン係合部は、前記対向面における裏面側の外縁から連続し、かつ、前記ロックピンから遠ざかる方向に伸びる傾斜面または湾曲面を備えていることが好ましい。
【００１３】
本発明によれば、第１および第２ボタン係合部が、前記傾斜面または前記湾曲面を備えていない場合と比べて、挿通孔に挿通されたロックピンを、前記対向面の間に案内しやすくでき、第１および第２ボタン係合部の表面に係合させやすくできる。これにより、ユーザーの手首に対するバンドの着脱を容易にできる。
【００１４】
本発明の中留において、前記第１および第２係合部材を、前記第２方向において互いに遠ざかる方向に付勢する第２バネを備え、前記スライド板は、前記第１および第２プッシュボタンの表側に設けられ、前記第１および第２係合部材は、前記第１および第２プッシュボタンよりも表面側に突出し、前記第２バネは、前記第１バネに対して表面側に位置していることが好ましい。
【００１５】
本発明によれば、第１および第２係合部材は、第１および第２プッシュボタンよりも表面側に突出しているため、当該第１および第２係合部材と、第１および第２プッシュボタンの表面側に設けられたスライド板とを確実に係合させることができる。
また、第２バネは、第１バネに対して表面側に位置しているため、第１バネと同じ高さに設けられている場合と比べて、第１および第２係合部材を、裏面から表面に向かう厚み方向における中心に近い位置で付勢できる。これにより、第１および第２係合部材を傾くことなく付勢できる。
なお、本発明によれば、第２バネが第１バネと同じ高さに設けられている場合と比べて、第１および第２プッシュボタンに対して第２方向と交差する方向に力が加わりやすくなる。しかしながら、本発明では上記の通り第１および第２ボタン係合部の対向面が第２方向と直交する平面であるため、対向面同士が接触した際、第１および第２プッシュボタンに対して第２方向と交差する方向に加わる力を抑制できる。このため、第１および第２プッシュボタン同士が第２方向と交差する方向にずれることを抑制できる。
【００１６】
本発明の時計は、上記中留を備えることを特徴とする。
本発明によれば、時計の組み立てを容易にできる。
【図面の簡単な説明】
【００１７】
【図１】本発明に係る実施形態の腕時計を示す正面図。
【図２】実施形態の中折れ部材を開いた状態の中留の斜視図。
【図３】実施形態における中留の分解斜視図。
【図４】実施形態における中折れ部材を折り畳んだ状態の中留の断面図。
【図５】実施形態における中折れ部材を折り畳んだ状態の中留の平面図。
【図６】実施形態における中留枠の斜視図。
【図７】実施形態におけるスライド板の斜視図。
【図８】実施形態におけるプッシュボタンユニットの斜視図。
【図９】実施形態におけるプッシュボタンユニットの分解斜視図。
【図１０】実施形態におけるプッシュボタン保持部材の斜視図。
【図１１】実施形態におけるプッシュボタンユニットをプッシュボタン保持部材に保持させる方法を説明する図。
【図１２】本発明に係る他の実施形態の中留の一部を示す断面図。
【発明を実施するための形態】
【００１８】
以下、本発明の実施形態について図面を用いて説明する。
時計としての腕時計１００は、図１に示すように、外装ケース１０と、バンド１１（第１バンド）およびバンド１２（第２バンド）とを備えている。外装ケース１０の６時方向と１２時方向とには、カン１０Ａがそれぞれ一体に設けられている。バンド１１は、６時方向のカン１０Ａに取り付けピンを用いて連結され、バンド１２は、１２時方向のカン１０Ａに取り付けピンを用いて連結される。
バンド１１，１２は、複数のバンド駒９を図示略のピンで連結して構成されている。
そして、各バンド１１，１２の開放端部同士は、図２〜５に示す中留１によって締結されている。
【００１９】
図２は、中折れ部材４を開いた状態の中留１の斜視図であり、図３は、中留１の分解斜視図であり、図４は、中折れ部材４を折り畳んだ状態の中留１をバンド短手方向から見た断面図であり、図５は、当該折り畳んだ状態の中留１を表面側から見た平面図である。なお、図５では、中留枠５１の表面部５１１の図示は省略している。
さらに、図６は、中留枠５１の斜視図であり、図７は、スライド板５２の斜視図であり、図８は、プッシュボタンユニット５３の斜視図であり、図９は、プッシュボタンユニット５３の分解斜視図であり、図１０は、プッシュボタン保持部材５４の斜視図である。
【００２０】
中留１は、図２に示すように、中折れ部材４と、中留プッシュ部５とを備えている。
［中折れ部材の構成］
中折れ部材４は、中板２と、外板３とを備えている。
中板２の一方の端部は、バンド１１に連結ピン１３によって回動可能に連結されている。中板２の他方の端部は、外板３の一方の端部と連結ピン１４によって回動可能に連結されている。
また、中板２には、表面側に突出したロックピン２１が設けられている。ロックピン２１は、中板２から突出した軸部２１１と、軸部２１１の先端に設けられた傘部２１２とを備えている。
外板３の他方の端部は、連結ピン１５によって中留プッシュ部５の中留枠５１と回動可能に連結されている。
【００２１】
［中留プッシュ部の構成］
中留プッシュ部５は、図３〜図５に示すように、中留枠５１と、中留枠５１内に配置されたスライド板５２、プッシュボタンユニット５３、プッシュボタン保持部材５４とを備えている。
【００２２】
［中留枠の構成］
中留枠５１は、図６に示すように、後述するスライド板５２のスライド方向（Ｘ方向および−Ｘ方向）に沿って円弧状に湾曲した板状の表面部５１１と、表面部５１１における表面側から見てスライド方向と直交する方向（Ｙ方向および−Ｙ方向）の外縁から裏面側に突出した側壁部５１２，５１３とを備えている。ここで、Ｘ方向は第１方向に相当し、Ｙ方向は第２方向に相当する。
側壁部５１２，５１３には、後述するプッシュボタン６０，７０のボタン本体部６１，７１の一部が挿通される貫通孔５１２Ａ，５１３Ａと、連結ピン１５（図２参照）と係合する係合孔５１２Ｂ，５１３Ｂとが設けられている。
【００２３】
［スライド板の構成］
スライド板５２は、図４に示すように、中留枠５１の表面部５１１の裏面側に、Ｘ方向に沿ってスライド可能に設けられている。スライド板５２は、図７に示すように、板部５２１と、板部５２１のＹ方向の外縁の一部から裏面側に突出した突出部５２４と、板部５２１の−Ｙ方向の外縁の一部から裏面側に突出した突出部５２５とを備えている。
突出部５２４，５２５には、バンド１２（図２参照）と連結するために用いられる連結ピン１６（図２参照）と係合する貫通孔５２４Ａ，５２５Ａが設けられている。
板部５２１は、開口部５２１Ａを備えている。板部５２１において開口部５２１ＡのＹ方向における両側に位置する縁部５２２，５２３には、開口部５２１Ａ側に、係合溝５２６，５２７が設けられている。係合溝５２６および係合溝５２７は、Ｙ方向において互いに対向して設けられ、Ｘ方向に沿って３つずつ設けられている。
図５に示すように、これらの係合溝５２６には、プッシュボタンユニット５３の後述する突出係合部８１２が係合し、係合溝５２７には、後述する突出係合部８２２が係合する。
【００２４】
ここで、図５、図７に示すように、各係合溝５２６，５２７のＸ方向側の内側面５２６Ａ，５２７Ａは、Ｙ方向に沿って形成されている。また、係合溝５２６，５２７のうち、Ｘ方向側から２つの係合溝５２６，５２７の−Ｘ方向側の内側面５２６Ｂ，５２７Ｂは、表面側から見て−Ｘ方向側に傾斜して形成されている。Ｘ方向側から３つ目の係合溝５２６，５２７の−Ｘ方向側の内側面５２６Ｂ，５２７Ｂは、Ｙ方向に沿って形成されている。
詳しくは後述するが、係合溝５２６，５２７がこのように形成されていることで、プッシュボタン６０，７０を押さなくても、スライド板５２をＸ方向にスライドさせることができる。
【００２５】
板部５２１には、さらに、開口部５２１ＡのＸ方向側に、Ｘ方向に沿った溝５２１Ｂが設けられている。溝５２１Ｂには、図５に示すように、表面側から見てロックピン２１の傘部２１２が配置される。
【００２６】
［プッシュボタンユニットの構成］
プッシュボタンユニット５３は、図４に示すように、スライド板５２の裏面側に設けられ、図８、図９に示すように、Ｙ方向に沿って設けられるプッシュボタン６０，７０と、係合部材８１，８２と、コイルスプリングなどのバネ８３，８４とを備えている。
【００２７】
プッシュボタン６０，７０は、Ｙ方向において互いに近づく方向に押し込み可能に構成されている。
具体的に、プッシュボタン６０（第１プッシュボタン）は、一部が中留枠５１の貫通孔５１２Ａに挿通されて中留枠５１の外側に突出するボタン本体部６１（第１ボタン本体部）と、ボタン本体部６１から−Ｙ方向に突出したボタン突出部６２（第１ボタン突出部）と、ボタン突出部６２の先端部からＸ方向に突出し、図５に示すように、ロックピン２１と係合するボタン係合部６３（第１ボタン係合部）とを備えている。
ここで、ボタン係合部６３は、図８に示すように、Ｙ方向において、後述するボタン本体部７１と後述するボタン係合部７３との間に位置している。また、ボタン係合部６３の先端部６３２は、後述するボタン突出部７２と接触している。また、図８、図９に示すように、ボタン係合部６３は、ボタン本体部６１よりも、裏面から表面に向かう厚み方向の寸法が短く形成されている。
また、ボタン本体部６１の−Ｙ方向の端部には、バネ８３を受ける受け部６１１と、係合部材８１を受ける受け部６１２とが設けられている。また、ボタン本体部６１のＹ方向の端部には、中留枠５１の側壁部５１２に当接する当接部６１３が設けられている。
【００２８】
図８、図９に示すように、プッシュボタン７０（第２プッシュボタン）は、一部が中留枠５１の貫通孔５１３Ａに挿通されて中留枠５１の外側に突出するボタン本体部７１（第２ボタン本体部）と、ボタン本体部７１からＹ方向に突出したボタン突出部７２（第２ボタン突出部）と、ボタン突出部７２の先端部から−Ｘ方向に突出し、図５に示すように、ロックピン２１と係合するボタン係合部７３（第２ボタン係合部）とを備えている。
ここで、ボタン係合部７３は、図８に示すように、Ｙ方向において、ボタン本体部６１とボタン係合部６３との間に位置している。すなわち、ボタン係合部６３，７３は、Ｙ方向において互いに対向して設けられている。また、ボタン係合部７３の先端部７３２は、ボタン突出部６２と接触している。また、図８、図９に示すように、ボタン係合部７３は、ボタン本体部７１よりも、厚み方向の寸法が短く形成されている。
また、ボタン本体部７１のＹ方向の端部には、プッシュボタン６０の受け部６１２に対向した位置に、係合部材８２を受ける受け部７１１が設けられている。また、ボタン本体部７１の−Ｙ方向の端部には、中留枠５１の側壁部５１３に当接する当接部７１２が設けられている。ボタン突出部７２の先端部には、プッシュボタン６０の受け部６１１に対向した位置に、バネ８３を受ける受け部７２１が設けられている。
【００２９】
ここで、本実施形態では、図５、図８、図９に示すように、ボタン係合部６３，７３のＹ方向において互いに対向する対向面６３１，７３１は、Ｙ方向と直交する平面である。すなわち、対向面６３１，７３１は、Ｘ方向、および、厚み方向に沿った平面である。
【００３０】
図８、図９に示すように、係合部材８１（第１係合部材）は、プッシュボタン６０の受け部６１２によって受けられる部材本体部８１１と、部材本体部８１１から表面側に突出し、図５に示すように、スライド板５２の係合溝５２６と係合する突出係合部８１２とを備えている。すなわち、係合部材８１は、プッシュボタン６０，７０よりも表面側に突出している。
係合部材８１における−Ｙ方向の端部には、バネ８４を受ける穴（図示せず）が設けられている。また、表面側から見て、突出係合部８１２におけるＹ方向の端部の−Ｘ方向側は、円弧状に形成されている。
【００３１】
図８、図９に示すように、係合部材８２（第２係合部材）は、プッシュボタン７０の受け部７１１によって受けられる部材本体部８２１と、部材本体部８２１から表面側に突出し、図５に示すように、スライド板５２の係合溝５２７と係合する突出係合部８２２とを備えている。すなわち、係合部材８２は、プッシュボタン６０，７０よりも表面側に突出している。
係合部材８２におけるＹ方向の端部には、バネ８４を受ける穴８２Ａが設けられている。また、表面側から見て、突出係合部８２２における−Ｙ方向の端部の−Ｘ方向側は、円弧状に形成されている。
【００３２】
バネ８３（第１バネ）は、ボタン本体部６１の受け部６１１と、ボタン突出部７２の受け部７２１によって挟持される。
バネ８４（第２バネ）は、係合部材８１，８２によって挟持される。ここで、バネ８４は、バネ８３に対して表面側に設けられている。この構成によれば、バネ８４がバネ８３と同じ高さに設けられている場合と比べて、係合部材８１，８２を、厚み方向における中心に近い位置で付勢できる。これにより、係合部材８１，８２を傾くことなく付勢できる。
【００３３】
このようなプッシュボタンユニット５３によれば、係合部材８１，８２は、バネ８４によりＹ方向において互いに遠ざかる方向に付勢される。そして、プッシュボタン６０，７０は、バネ８４により付勢された係合部材８１，８２、および、バネ８３により、Ｙ方向において互いに遠ざかる方向に付勢される。
プッシュボタン６０，７０がバネ８３，８４による付勢方向に移動すると、ボタン係合部６３，７３は、Ｙ方向において互いに近づく方向に移動する。
また、ボタン本体部６１，７１がユーザーによって押され、プッシュボタン６０，７０が前記付勢方向とは反対方向に移動すると、ボタン係合部６３，７３は、Ｙ方向において互いに遠ざかる方向に移動する。
【００３４】
［プッシュボタン保持部材］
プッシュボタン保持部材５４は、図１０に示すように、Ｙ方向および−Ｙ方向に開口を備えた筒状に形成されており、底面部５４１と、側面部５４２，５４３と、表面部５４４，５４５とを備えている。
底面部５４１は矩形状に形成され、ロックピン２１が挿通される挿通孔５４１Ａが設けられている。
側面部５４２は、底面部５４１のＸ方向の外縁から表面側に突出して形成されている。
表面部５４４は、側面部５４２の先端から−Ｘ方向に延出している。表面部５４４には、図４に示すように、ロックピン２１の傘部２１２が配置される孔５４４Ａが設けられている。
側面部５４３は、底面部５４１の−Ｘ方向の外縁から表面側に突出して形成されている。
表面部５４５は、側面部５４３の先端からＸ方向に延出している。表面部５４５の延出方向先端部は、表面部５４４の延出方向先端部と対向している。また、表面部５４５には、Ｙ方向に沿って伸びるスリット５４５Ａが設けられている。なお、図１０では、表面部５４５におけるスリット５４５Ａの−Ｙ方向側に位置する表面部分５４５Ｂが、折り曲げられる前の状態を示している。この表面部分５４５Ｂは、詳しくは後述するが、プッシュボタン保持部材５４にプッシュボタンユニット５３が挿入された後、Ｘ方向に折り曲げられ、先端部が表面部５４４の延出方向先端部と対向する。
【００３５】
このような底面部５４１，側面部５４２，５４３、表面部５４４，５４５で囲まれる空間には、図４および後述する図１１の状態３に示すように、プッシュボタンユニット５３が収納されて保持される。ここで、係合部材８１，８２の突出係合部８１２，８２２は、表面部５４５のスリット５４５Ａを通過し、プッシュボタン保持部材５４の表面側に突出する。
このような構成によれば、プッシュボタン保持部材５４の側面部５４２，５４３によって、プッシュボタン６０，７０同士がＸ方向に沿ってずれることを防止できる。また、プッシュボタン保持部材５４の底面部５４１および表面部５４４，５４５によって、プッシュボタン６０，７０同士が、厚み方向に沿ってずれることを防止できる。すなわち、プッシュボタン６０，７０は、Ｙ方向に沿った方向にのみ移動する。
【００３６】
［プッシュボタンユニットをプッシュボタン保持部材に保持させる方法］
次に、プッシュボタンユニット５３を、プッシュボタン保持部材５４に保持させる方法について説明する。
まず、図１１の状態１に示すように、プッシュボタンユニット５３の各部材を組み合わせた状態で、プッシュボタン保持部材５４の−Ｙ方向の開口から内部にスライドさせる。
このとき、プッシュボタン保持部材５４の表面部５４５におけるスリット５４５Ａの−Ｙ方向側の表面部分５４５Ｂは、表面側に伸びている。これにより、スリット５４５Ａ内に、突出係合部８１２，８２２を案内することができる。
【００３７】
次に、図１１の状態２に示すように、表面部分５４５Ｂが突出係合部８２２と干渉しないように、治具などによってボタン本体部７１を押して突出係合部８２２を突出係合部８１２に近づけた状態で、図１１の状態３に示すように、表面部分５４５ＢをＸ方向に折り曲げ、表面部分５４５Ｂの先端部を表面部５４４の先端部と対向させる。これにより、プッシュボタンユニット５３を、プッシュボタン保持部材５４に保持させることができる。
なお、ボタン本体部７１を押す代わりに、例えば、突出係合部８１２，８２２と係合し、突出係合部８１２，８２２のＹ方向における距離を所定の距離に維持する治具を用いて、突出係合部８２２を突出係合部８１２に近づけてもよい。
また、プッシュボタン保持部材５４の挿通孔５４１Ａおよび孔５４４Ａに棒を挿入するなどして、ボタン係合部６３，７３の間の距離が所定の距離以下となることを規制することで、突出係合部８２２を突出係合部８１２に近づけてもよい。
【００３８】
ここで、本実施形態では、上述したように、ボタン係合部６３，７３の対向面６３１，７３１はＹ方向と直交する平面である。このため、プッシュボタンユニット５３を、プッシュボタン保持部材５４に保持させる際、プッシュボタン６０，７０がバネ８３，８４による付勢方向に移動し、ボタン係合部６３，７３がＹ方向において互いに近づく方向に移動して当接したとき、プッシュボタン６０，７０に対してＹ方向と交差する方向に力が加わることを抑制できる。これにより、プッシュボタン６０，７０同士がＹ方向と交差する方向にずれることを抑制でき、各部材がばらけることを抑制できる。
【００３９】
［腕時計の脱着方法］
次に、腕時計１００をユーザーの手首に装着する方法について説明する。
まず、バンド１１，１２に手首を通し、外板３を中板２側に折り畳む。これにより、図４，図５に示すように、中板２のロックピン２１が、プッシュボタン保持部材５４の挿通孔５４１Ａ、および、ボタン係合部６３，７３の対向面６３１，７３１の間に挿通される。
これにより、プッシュボタン６０，７０がバネ８３，８４による付勢方向に移動して、ボタン係合部６３、７３が互いに近づく方向に移動し、ロックピン２１の軸部２１１に、ボタン係合部６３，７３の対向面６３１，７３１が接触し、ロックピン２１の傘部２１２が、ボタン係合部６３，７３の表面と係合する。このようにして、腕時計１００を手首に装着できる。
【００４０】
次に、腕時計１００を手首から取り外す方法について説明する。
腕時計１００を取り外す場合は、ボタン本体部６１，７１を押して、ボタン係合部６３，７３を互いに遠ざかる方向に移動させた状態で、折り畳まれた中板２および外板３を開く。これにより、ロックピン２１の傘部２１２が、ボタン係合部６３，７３の対向面６３１，７３１の間を通過し、プッシュボタン保持部材５４の挿通孔５４１Ａから引き抜かれる。このようにして、腕時計１００を手首から取り外すことができる。
【００４１】
［バンド長さの調整方法］
次に、バンド長さの調整方法について説明する。
まず、ボタン本体部６１，７１を押し、突出係合部８１２，８２２を互いに近づく方向に移動させることで、突出係合部８１２，８２２と係合溝５２６，５２７との係合を解除させる。
この状態で、バンド１２をＸ方向または−Ｘ方向に移動させることで、スライド板５２を、中留枠５１に対してＸ方向または−Ｘ方向に相対的に移動させる。
そして、ボタン本体部６１，７１の押し込みを解除して、突出係合部８１２，８２２を互いに遠ざかる方向に移動させ、直前まで係合していた係合溝５２６，５２７とは別の係合溝５２６，５２７と係合させる。これにより、バンド長さを調整できる。
【００４２】
また、本実施形態では、上述したように、スライド板５２に設けられた係合溝５２６，５２７のうち、Ｘ方向側から２つの係合溝５２６，５２７の内側面５２６Ｂ，５２７Ｂは、表面側から見て−Ｘ方向に傾斜している。さらに、突出係合部８１２におけるＹ方向の端部の−Ｘ方向側、および、突出係合部８２２における−Ｙ方向の端部の−Ｘ方向側は、表面側から見て円弧状に形成されている。そして、係合部材８１，８２は、プッシュボタン６０，７０と別体で設けられている。
この構成によれば、突出係合部８１２，８２２が、Ｘ方向側から１つ目または２つ目の係合溝５２６，５２７と係合している場合は、ボタン本体部６１，７１を押さずに、スライド板５２をＸ方向に押すことで、突出係合部８１２，８２２が、内側面５２６Ｂ，５２７Ｂに沿って移動し、−Ｘ方向の隣り合う係合溝５２６，５２７と係合する。これにより、ボタン本体部６１，７１を押さなくても、バンド長さを短くできる。
【００４３】
なお、本実施形態では、ボタン本体部６１，７１が押された場合、最初に、ボタン係合部６３，７３の対向面６３１，７３１同士の間隔が、ロックピン２１が通過可能な間隔まで開き、さらにボタン本体部６１，７１が押されることで、突出係合部８１２，８２２と係合溝５２６，５２７との係合が解除される。この構成によれば、対向面６３１，７３１同士の間隔がロックピン２１を通過可能な間隔となるまで、ボタン本体部６１，７１を押し、その状態を維持して腕時計１００を手首に装着したり手首から外したりすることで、突出係合部８１２，８２２と係合溝５２６，５２７との係合が解除されることを防止できる。これにより、バンド長さが意図せず変わることを防止できる。
【００４４】
［実施形態の作用効果］
本実施形態では、ボタン係合部６３，７３の対向面６３１，７３１はＹ方向と直交する平面である。このため、プッシュボタンユニット５３を、プッシュボタン保持部材５４に保持させる際、プッシュボタン６０，７０がバネ８３，８４による付勢方向に移動し、ボタン係合部６３，７３がＹ方向において互いに近づく方向に移動して当接したとき、プッシュボタン６０，７０同士がＹ方向と交差する方向にずれることを抑制でき、各部材がばらけることを抑制できる。これにより、例えばプッシュボタン６０，７０が前記付勢方向に移動することを規制するような抜け止め板を用いることなく、各部材を容易にプッシュボタン保持部材５４に保持させることができる。
【００４５】
本実施形態によれば、プッシュボタン６０，７０が前記付勢方向に移動した際、ボタン係合部６３は、先端部６３２がボタン突出部７２に接触した状態でボタン係合部７３に近づく方向に移動し、ボタン係合部７３は、先端部７３２がボタン突出部６２に接触した状態でボタン係合部６３に近づく方向に移動する。これにより、プッシュボタン６０，７０等を互いに組み合わせた状態でプッシュボタン保持部材５４に保持させる際、プッシュボタン６０，７０を、Ｙ方向に沿って移動させやすくでき、プッシュボタン６０，７０同士が、Ｙ方向と交差する方向にずれることをさらに抑制できる。
【００４６】
本実施形態では、ボタン係合部６３，７３は、ボタン本体部６１，７１よりも厚み方向の寸法が短い。このため、ボタン係合部６３，７３が、ボタン本体部６１，７１と厚み方向の寸法が同じ場合と比べて、ボタン係合部６３，７３にロックピン２１が係合した際の、ボタン係合部６３，７３とロックピン２１とを合わせた厚み方向の寸法を短くできる。これにより、中留１を薄く形成できる。
なお、上記構成によれば、ボタン係合部６３，７３が、ボタン本体部６１，７１と厚み方向の寸法が同じ場合と比べて、ボタン係合部６３，７３の対向面６３１，７３１の面積が小さくなる。このため、対向面６３１，７３１同士が接触した際、プッシュボタン６０，７０に対してＹ方向と交差する方向に力が加わった場合、プッシュボタン６０，７０同士がＹ方向と交差する方向にずれやすくなる。しかしながら、本実施形態では上記の通り対向面６３１，７３１がＹ方向と直交する平面であるため、対向面６３１，７３１同士が接触した際、プッシュボタン６０，７０に対してＹ方向と交差する方向に力が加わることを抑制できる。このため、プッシュボタン６０，７０同士がＹ方向と交差する方向にずれることを抑制できる。
【００４７】
本実施形態では、バネ８４は、バネ８３に対して表面側に位置しているため、バネ８３と同じ高さに設けられている場合と比べて、係合部材８１，８２を、厚み方向における中心に近い位置で付勢できる。これにより、係合部材８１，８２を傾くことなく付勢できる。
なお、上記構成によれば、バネ８４がバネ８３と同じ高さに設けられている場合と比べて、プッシュボタン６０，７０に対して、Ｙ方向と交差する方向に力が加わりやすくなる。しかしながら、本実施形態では上記の通りボタン係合部６３，７３の対向面６３１，７３１がＹ方向と直交する平面であるため、対向面６３１，７３１同士が接触した際、プッシュボタン６０，７０に対してＹ方向と交差する方向に加わる力を抑制できる。このため、プッシュボタン６０，７０同士がＹ方向と交差する方向にずれることを抑制できる。
【００４８】
［他の実施形態］
なお、本発明は前述の実施形態に限定されるものではなく、本発明の目的を達成できる範囲での変形、改良等は本発明に含まれるものである。
【００４９】
前記実施形態では、ボタン係合部６３，７３の対向面６３１，７３１と、ボタン係合部６３，７３の裏面とは直角に交差しているが、これに限定されない。
例えば、ボタン係合部６３，７３の互いに対向する端部の裏面側は、面取りされていてもよい。
すなわち、図１２に示すように、ボタン係合部６３，７３は、対向面６３１，７３１における裏面側の外縁から連続し、かつ、挿通孔５４１Ａに挿通されたロックピン２１の軸部２１１から遠ざかる方向に伸びて、ボタン係合部６３，７３の底面６３４，７３４まで達する傾斜面６３３，７３３を備えている。なお、傾斜面６３３，７３３は、円弧状に湾曲した湾曲面であってもよい。
この構成によれば、ボタン係合部６３，７３が面取りされていない場合と比べて、挿通孔５４１Ａに挿通されたロックピン２１を、対向面６３１，７３１の間に案内しやすくでき、ボタン係合部６３，７３の表面に係合させやすくできる。これにより、ユーザーの手首に対する腕時計１００の着脱を容易にできる。
【００５０】
前記実施形態では、係合部材８１，８２は、プッシュボタン６０，７０と別体で設けられているが、プッシュボタン６０，７０と一体で形成されていてもよい。この場合は、バネ８４はなくてもよい。
また、前記実施形態では、バネ８４は、バネ８３に対して表面側に設けられているが、これに限定されない。例えば、バネ８４は、バネ８３と同じ高さに設けられていてもよい。
【００５１】
前記実施形態では、ボタン係合部６３，７３が、ボタン本体部６１，７１よりも厚み方向の寸法が短く形成されているが、これに限定されない。
例えば、ボタン係合部６３，７３は、ボタン本体部６１，７１と厚み方向の寸法が同じであってもよい。
【００５２】
本発明の中留は、時計バンドに限らず、例えばブレスレットやネックレスなどの装身具用バンドにも利用できる。
【符号の説明】
【００５３】
１…中留、２…中板、３…外板、４…中折れ部材、５…中留プッシュ部、１１…バンド（第１バンド）、１２…バンド（第２バンド）、２１…ロックピン、５１…中留枠、５２…スライド板、５３…プッシュボタンユニット、５４…プッシュボタン保持部材、６０…プッシュボタン（第１プッシュボタン）、６１…ボタン本体部（第１ボタン本体部）、６２…ボタン突出部（第１ボタン突出部）、６３…ボタン係合部（第１ボタン係合部）、７０…プッシュボタン（第２プッシュボタン）、７１…ボタン本体部（第２ボタン本体部）、７２…ボタン突出部（第２ボタン突出部）、７３…ボタン係合部（第２ボタン係合部）、８１…係合部材（第１係合部材）、８２…係合部材（第２係合部材）、８３…バネ（第１バネ）、８４…バネ（第２バネ）、１００…腕時計（時計）、５４１Ａ…挿通孔、６３１，７３１…対向面、６３２，７３２…先端部、６３３，７３３…傾斜面。
【図１】
2019000239.tif 000003
【図２】
2019000239.tif 000004
【図３】
2019000239.tif 000005
【図４】
2019000239.tif 000006
【図５】
2019000239.tif 000007
【図６】
2019000239.tif 000008
【図７】
2019000239.tif 000009
【図８】
2019000239.tif 000010
【図９】
2019000239.tif 000011
【図１０】
2019000239.tif 000012
【図１１】
2019000239.tif 000013
【図１２】
2019000239.tif 000014